(57)【要約】【課題】フリットとダミー隔壁との間に形成される共振空間を減らして，騒音の発生を抑制し，放電ガスの円滑な吸排気を可能にするプラズマディスプレイパネルを提供する。【解決手段】互いに対向して配置される前面基板および背面基板と，前面基板と背面基板との間の空間に，互いに離隔して交差する方向に配置されるアドレス電極および表示電極と，前面基板と背面基板との間の空間に，複数の放電セルを区画し，表示領域と表示領域の周りの非表示領域とを形成するように配置される隔壁と，非表示領域と表示領域と離隔して配置されるダミー隔壁でダミーセルを区画するダミー領域とを含み，ダミー区域は，表示領域の一側端と平行な帯状に形成される横隔壁帯と，横隔壁帯の両端の延長方向に外側弧状部で取り囲まれた扇状部とを含むことを特徴とする，プラズマディスプレイパネルに関する。【選択図】図１
2006294587.tif 000002
【特許請求の範囲】
【請求項１】
互いに対向して配置される前面基板および背面基板と，
前記前面基板と前記背面基板との間の空間に，互いに離隔して交差する方向に配置されるアドレス電極および表示電極と，
前記前面基板と前記背面基板との間の空間に，複数の放電セルを区画し，表示領域と前記表示領域の周りの非表示領域とを形成するように配置される隔壁と，
を含み，
前記非表示領域は，前記表示領域と離隔して配置されるダミー隔壁でダミーセルを区画するダミー区域を含み，
前記ダミー区域は，前記表示領域の一側端と平行な帯状に形成される横隔壁帯と，前記横隔壁帯の両端の延長方向に外側弧状部で取り囲まれた扇状部とを含むことを特徴とする，プラズマディスプレイパネル。
【請求項２】
前記ダミー区域は，前記アドレス電極の伸張方向にある前記表示領域の両側に設けられることを特徴とする，請求項１に記載のプラズマディスプレイパネル。
【請求項３】
前記横隔壁帯は，最外側横隔壁部材と最内側横隔壁部材との間に少なくとも１つ以上の横隔壁部材を含むことを特徴とする，請求項１に記載のプラズマディスプレイパネル。
【請求項４】
前記最外側横隔壁部材とこれに隣合う横隔壁部材との間の距離，および前記最内側横隔壁部材とこれに隣合う横隔壁部材との間の距離が，前記最外側横隔壁部材と前記最内側横隔壁部材との間にある一対の横隔壁部材の間の距離より小さいことを特徴とする，請求項３に記載のプラズマディスプレイパネル。
【請求項５】
前記最外側横隔壁部材は，ほかの横隔壁部材より大きい線幅に形成されることを特徴とする，請求項３または４に記載のプラズマディスプレイパネル。
【請求項６】
前記扇状部は，前記最外側横隔壁部材の先端と前記最内側横隔壁部材の先端とを結ぶ直線の中心から前記外側弧状部の方向に形成される直線状の斜線隔壁部材を含むことを特徴とする，請求項３〜５のいずれかに記載のプラズマディスプレイパネル。
【請求項７】
前記斜線隔壁部材は，前記扇状部の中心角を４等分することを特徴とする，請求項６に記載のプラズマディスプレイパネル。
【請求項８】
前記最外側横隔壁部材の先端と前記最内側横隔壁部材の先端とを結ぶ直線は，前記横隔壁帯および前記扇状部に共有されることを特徴とする，請求項３に記載のプラズマディスプレイパネル。
【請求項９】
前記外側弧状部の両端は，その延長方向で，前記横隔壁帯の前記最外側横隔壁部材と前記最内側横隔壁部材にそれぞれ連結されることを特徴とする，請求項３に記載のプラズマディスプレイパネル。
【請求項１０】
前記横隔壁帯の前記最外側横隔壁部材と前記最内側横隔壁部材は，直線状に形成されることを特徴とする，請求項３に記載のプラズマディスプレイパネル。
【請求項１１】
前記外側弧状部は，前記横隔壁帯の前記最内側横隔壁部材から前記最外側横隔壁部材に行くほどに次第に大きくなる線幅を有することを特徴とする，請求項３に記載のプラズマディスプレイパネル。
【請求項１２】
前記扇状部は，前記横隔壁帯上の一点からほかの一点まで弧状に連結される弧状隔壁部材を含むことを特徴とする，請求項１に記載のプラズマディスプレイパネル。
【請求項１３】
前記扇状部の外側弧状部とこれに隣合う弧状隔壁部材との間の距離より，前記横隔壁帯とこれに隣合う弧状隔壁部材との間の距離が大きく形成されることを特徴とする，請求項１２に記載のプラズマディスプレイパネル。
【請求項１４】
前記扇状部は，前記外側弧状部と前記弧状隔壁部材の間，または，互いに隣合う弧状隔壁部材間に形成されるリブ隔壁部材を含むことを特徴とする，請求項１２に記載のプラズマディスプレイパネル。
【請求項１５】
前記リブ隔壁部材は，前記弧状隔壁部材を均等な間隔で分割することを特徴とする，請求項１４に記載のプラズマディスプレイパネル。
【請求項１６】
前記リブ隔壁部材は，前記弧状隔壁部材の線幅より小さな線幅に形成されることを特徴とする，請求項１４に記載のプラズマディスプレイパネル。
【請求項１７】
前記前面基板と前記背面基板を相互封着するフリットの線幅は，このフリットの内側面と前記ダミー区域の外側面との間隔より大きく形成されることを特徴とする，請求項１に記載のプラズマディスプレイパネル。
【請求項１８】
前記フリットの線幅は，前記フリットの内側面と前記ダミー区域の外側面との間隔の２倍〜３倍の大きさに形成されることを特徴とする，請求項１７に記載のプラズマディスプレイパネル。
【請求項１９】
互いに対向して配置される前面基板および背面基板と，
前記前面基板と前記背面基板との間の空間に，互いに離隔して交差する方向に配列されるアドレス電極および表示電極と，
前記前面基板と前記背面基板との間の空間に，複数の放電セルを区画し，表示領域と前記表示領域の周りに非表示領域とを形成するように配置される隔壁と，
を含み，
前記非表示領域は，前記表示領域内に配置される隔壁から延長されるダミー隔壁でダミーセルを区画する第１ダミー区域と，前記第１ダミー区域から離隔して配置されるダミー隔壁でダミーセルを区画する第２ダミー区域とを含み，
前記第１ダミー区域は，
前記表示領域の角部外側に配置され，互いに交差する垂直線部および水平線部と，この両線部と交差する第１外側弧状部とで取り囲まれた第１扇状部と，
前記第１扇状部の垂直線部に接して配置される第１横隔壁帯と，
前記第１扇状部の水平線部に接して配置される第１縦隔壁帯と，
を含むことを特徴とする，プラズマディスプレイパネル。
【請求項２０】
前記第１ダミー区域の第１扇状部と前記第２ダミー区域との間の空間には，前記各ダミー区域から離隔して独立的に形成される島型隔壁部材を含むことを特徴とする，請求項１９に記載のプラズマディスプレイパネル。
【請求項２１】
前記島型隔壁部材は，円形または環形の横断面を有することを特徴とする，請求項２０に記載のプラズマディスプレイパネル。
【請求項２２】
前記第１扇状部は，前記垂直線部と前記水平線部の交差点から前記第１外側弧状部の方向に形成される直線状の第１斜線隔壁部材を含むことを特徴とする，請求項１９に記載のプラズマディスプレイパネル。
【請求項２３】
前記第１扇状部は，前記垂直線部上の一点から前記水平線部上の一点まで弧状に連結される弧状隔壁部材を含むことを特徴とする，請求項１９に記載のプラズマディスプレイパネル。
【請求項２４】
前記第１扇状部は，前記第１外側弧状部と前記弧状隔壁部材との間，または，互いに隣合う弧状隔壁部材の間に形成される第１リブ隔壁材を含むことを特徴とする，請求項２３に記載のプラズマディスプレイパネル。
【請求項２５】
前記弧状隔壁部材は，その延長方向に，前記第１横隔壁帯の隔壁部材と前記第１縦隔壁帯の隔壁部材に連結されることを特徴とする，請求項１９に記載のプラズマディスプレイパネル。
【請求項２６】
前記第１扇状部の垂直線部および水平線部はそれぞれ前記第１横隔壁帯および前記第１縦隔壁帯と共有されることを特徴とする，請求項１９に記載のプラズマディスプレイパネル。
【請求項２７】
前記第１横隔壁帯は，前記最外側横隔壁部材と前記最内側横隔壁部材との間に少なくとも１つ以上の横隔壁部材を，また，前記第１縦隔壁帯は，前記最外側縦隔壁部材と前記最内側縦隔壁部材との間に少なくとも１つ以上の縦隔壁部材をそれぞれ含むことを特徴とする，請求項１９に記載のプラズマディスプレイパネル。
【請求項２８】
前記最外側縦隔壁部材とこれに隣合う縦隔壁部材との間の距離は，一番大きく，前記最内側縦隔壁部材とこれに隣合う縦隔壁部材との間の距離が一番小さく，また，前記最外側横隔壁部材とこれに隣合う横隔壁部材との間の距離は，前記最内側横隔壁部材とこれに隣合う横隔壁部材との間の距離より小さいことを特徴とする，請求項１９に記載のプラズマディスプレイパネル。
【請求項２９】
前記第１外側弧状部は，その延長方向に，前記第１横隔壁帯の前記最外側横隔壁部材と前記第１縦隔壁帯の前記最外側縦隔壁部材に連結されることを特徴とする，請求項１９に記載のプラズマディスプレイパネル。
【請求項３０】
前記第１外側弧状部は，前記第１横隔壁帯の前記最外側横隔壁部材と前記第１縦隔壁帯の前記最外側縦隔壁部材は，直線状に形成されることを特徴とする，請求項１９に記載のプラズマディスプレイパネル。
【請求項３１】
前記第２ダミー区域は，前記表示領域の一側端と平行な帯状に形成される第２横隔壁帯と，前記第２横隔壁帯の両端の延長方向に第２外側弧状部で取り囲まれた第２扇状部とを含むことを特徴とする，請求項１９に記載のプラズマディスプレイパネル。
【請求項３２】
前記第１ダミー区域の第１扇状部と前記第２ダミー区域の第２扇状部との間の空間には，前記各ダミー区域から離隔して独立的に形成される島型隔壁部材を含むことを特徴とする，請求項３１に記載のプラズマディスプレイパネル。
【請求項３３】
前記島型隔壁部材は，円形または環形の横断面を有することを特徴とする，請求項３２に記載のプラズマディスプレイパネル。
【請求項３４】
前記第２横隔壁帯は，前記最外側横隔壁部材と前記最内側横隔壁部材との間に少なくとも１つ以上の横隔壁部材を含むことを特徴とする，請求項３３に記載のプラズマディスプレイパネル。
【請求項３５】
前記第２扇状部は，前記最外側横隔壁部材の先端と前記最内側横隔壁部材の先端とを結ぶ直線の中心から前記第２外側弧状部の上に，直線状に延長される第２斜線隔壁部材を含むことを特徴とする，請求項３４に記載のプラズマディスプレイパネル。
【請求項３６】
前記第２外側弧状部は，その延長方向に，前記第２横隔壁帯の前記最外側横隔壁部材と前記最内側横隔壁部材にそれぞれ連結されることを特徴とする，請求項３４に記載のプラズマディスプレイパネル。
【請求項３７】
前記第２外側弧状部は，前記第２横隔壁帯の前記最外側横隔壁部材と前記最内側横隔壁部材は，直線状に形成されることを特徴とする，請求項３４に記載のプラズマディスプレイパネル。
【請求項３８】
前記第２外側弧状部は，第２横隔壁帯の最内側横隔壁部材から最外側横隔壁部材に行くほどに次第に大きくなる線幅を有することを特徴とする，請求項３４に記載のプラズマディスプレイパネル。
【請求項３９】
前記第２扇状部は，前記第２横隔壁帯上の一点からほかの一点まで弧状に連結される弧状隔壁部材を含むことを特徴とする，請求項３１に記載のプラズマディスプレイパネル。
【請求項４０】
前記第２扇状部は，前記第２外側弧状部と前記弧状隔壁部材との間，または，互いに隣合う弧状隔壁部材の間に形成される第２リブ隔壁部材を含むことを特徴とする，請求項３９に記載のプラズマディスプレイパネル。
【請求項４１】
互いに対向して配置される前面基板および背面基板と，
前記前面基板と前記背面基板との間の空間に，互いに離隔して交差する方向に配列されるアドレス電極および表示電極と，
前記前面基板と前記背面基板との間の空間に，複数の放電セルを区画し，表示領域と前記表示領域の周りに非表示領域とを形成するように配置される隔壁と，
を含み，
前記非表示領域は，
前記表示領域内に配置される隔壁から延長されるダミー隔壁でダミーセルを区画する第１ダミー区域と，
前記第１ダミー区域から前記表示電極の伸張方向に延長されるダミー隔壁でダミーセルを区画する第２ダミー区域と，
を含むことを特徴とする，プラズマディスプレイパネル。
【請求項４２】
前記第１ダミー区域内の互いに交差する垂直線部および水平線部と，
前記両線部と交差する第１外側弧状部とで取り囲まれた第１扇状部と，
前記第１扇状部の垂直線部に接して配置される第１横隔壁帯と，
前記第１扇状部の水平線部に接して配置される第１縦隔壁帯と，
を含み，
前記第１ダミー区域は，前記表示領域の角部外側に配置されることを特徴とする，請求項４１に記載のプラズマディスプレイパネル。
【請求項４３】
前記第１扇状部は，前記垂直線部と水平線部の交差点から前記第１外側弧状部の方向にに形成される直線状の第１斜線隔壁部材とを含むことを特徴とする，請求項４２に記載のプラズマディスプレイパネル。
【請求項４４】
前記第１扇状部は，前記垂直線部上の一点から前記水平線部上の一点まで弧状に連結される弧状隔壁部材を含むことを特徴とする，請求項４２に記載のプラズマディスプレイパネル。
【請求項４５】
前記第１扇状部は，前記第１外側弧状部上と前記弧状隔壁部材との間に，または，互いに隣合う弧状隔壁部材の間に形成される第１リブ隔壁部材を含むことを特徴とする，請求項４４に記載のプラズマディスプレイパネル。
【請求項４６】
前記第２ダミー区域内の互いに交差する垂直線部および水平線部と，
前記両線部と交差する第２外側弧状部とで取り囲まれた第２扇状部と，
前記第２扇状部の水平線部に接して配置される第２縦隔壁帯と，
を含み，
前記第２ダミー区域は，前記表示電極の伸張方向にある第１ダミー区域の両側に設けられ，角部に配置されることを特徴とする，請求項４１に記載のプラズマディスプレイパネル。
【請求項４７】
前記第２ダミー区域は，前記第２扇状部の垂直線部およびこれに連結される第２縦隔壁帯に接し，前記第１ダミー区域に連結される第３縦隔壁帯をさらに含むことを特徴とする，請求項４６に記載のプラズマディスプレイパネル。
【請求項４８】
前記第２扇状部は，前記垂直線部と水平線部の交差点から前記第２外側弧状部の方向に形成される直線状の第２斜線隔壁部材を含むことを特徴とする，請求項４６に記載のプラズマディスプレイパネル。
【請求項４９】
前記第２扇状部は，前記垂直線部上の一点から前記水平線部上の一点まで弧状に連結される弧状隔壁部材を含むことを特徴とする，請求項４６に記載のプラズマディスプレイパネル。
【請求項５０】
前記第２扇状部は，前記第２外側弧状部と前記弧状隔壁部材との間，または，隣合う弧状隔壁部材の間に形成されるリブ隔壁部材を含むことを特徴とする，請求項４９に記載のプラズマディスプレイパネル。
【請求項５１】
前記第２外側弧状部は，その延長方向に，前記第３縦隔壁帯の前記最外側横隔壁部材と前記第２縦隔壁帯の前記最外側縦隔壁部材にそれぞれ連結されることを特徴とする，請求項４７に記載のプラズマディスプレイパネル。
【請求項５２】
前記第３縦隔壁帯の前記最外側横隔壁部材と前記第２縦隔壁帯の前記最外側縦隔壁部材最外側は，直線状に形成されることを特徴とする，請求項４６に記載のプラズマディスプレイパネル。
【請求項５３】
前記非表示領域は，前記第１ダミー区域と離隔して配置されるダミー隔壁でダミーセルを区画する第３ダミー区域をさらに含むことを特徴とする，請求項４１に記載のプラズマディスプレイパネル。
【請求項５４】
前記第３ダミー区域は，前記表示領域の一側端と平行な帯状に形成される第３縦隔壁帯と，前記第３縦隔壁帯の両端に第３外側弧状部で取り囲まれた第３扇状部とを含むことを特徴とする，請求項５３に記載のプラズマディスプレイパネル
【発明の詳細な説明】
【技術分野】
【０００１】
本発明はプラズマディスプレイパネルにかかり，特に非表示領域に配置されるダミー隔壁の構造を改善し，フリットを広幅に備えることにより，外側の端部の浮き上がりを防止し，これによる騷音を減少させ，放電ガスの給排気を円滑にするプラズマディスプレイパネルに関する。
【背景技術】
【０００２】
一般的に，プラズマディスプレイパネル（Ｐｌａｓｍａ  Ｄｉｓｐｌａｙ  Ｐａｎｅｌ，ＰＤＰ）は放電セル内の気体放電によって生成された真空紫外線で蛍光体を励起させて所定の映像を具現する装置であって，高解像度の大画面構成が可能な次世代薄型表示装置である。
【０００３】
このようなプラズマディスプレイパネルにおいて，放電セルは，前面基板と背面基板との間でストライプ形または格子形などのパターンに形成される隔壁によって区画される。隔壁は実質的な画像が具現される表示領域を構成する放電セルだけでなく，表示領域を取り囲む非表示領域の一部にわたって形成されて表示領域の最外側放電セルの放電安定化を図るダミーセル（Ｄｕｍｍｙ  Ｃｅｌｌ）を提供する。このようなダミーセルを形成する隔壁をダミー隔壁とも言う。
【０００４】
前記前面基板と前記背面基板は，その間に介在されるフリット（Ｆｒｉｔ）によって相互付着して，このフリットと前記ダミー隔壁との間には相当な距離が存在する。この距離は共振空間を発生させてパネル騷音の原因として作用する。
【０００５】
この共振空間を狭めるために広幅フリットを適用する場合，フリットは排気管を侵犯してパネル汚染の原因として作用する。これと反対に共振空間を狭めるために隔壁のみを拡張させる場合，この隔壁は排気管の役目である放電ガスの給排気を邪魔して輝度減衰の原因として作用する。
【０００６】
このように形成される前記隔壁は，隔壁用ペーストで隔壁層を形成し，このような隔壁層を，主にサンドブルラスト法，プレス法，または感光性物質を用いる蝕刻法などによりパターン化し，４５０℃以上の高温で焼成する過程により完成される。隔壁を焼成する理由は，隔壁物質に含まれた不純物とバインダーなどを焼いて取り除いて隔壁をより堅くするためである。
【０００７】
隔壁焼成時，隔壁用ペースト内に存在するビークル（ｖｅｈｉｃｌｅ）成分はすべて蒸
発し，隔壁を構成する主成分は相互間の結合により収縮される。
【０００８】
プラズマディスプレイの隔壁の格子構造が長方形の場合，図１２に示すように，隔壁焼成時，隔壁１１０の長辺に引張応力が発生して隔壁の曲がり現象（円で示す部分参照）が発生する。
【０００９】
また，隔壁の最外側端部の場合は，力の平衡が一定に維持されなくて，焼成によって隔壁が内側に立ち上げられる現象により浮き上がり現象が起き，その部分はほかの部分より高くなることになる。その結果，図１３に示すように，前面基板１００と隔壁１１０との間に隙間を形成することになり（円で示す部分参照），このような隙間は，パネル駆動時，振動による騷音を発生させる原因となる。
【００１０】
なお上記において，構成要素に付随して記した参照符号は，理解を容易にするため，後述の実施形態および図面における対応する構成要素および信号を一例として記したに過ぎず，本発明がこれに限定されるものではない。
【発明の開示】
【発明が解決しようとする課題】
【００１１】
本発明は，従来のプラズマディスプレイパネルが有する上記問題点に鑑みてなされたものであり，本発明の目的は，フリットとダミー隔壁との間に形成される共振空間を減らして騷音発生を抑制して放電ガスの円滑な給排気の可能な，新規かつ改良されたプラズマディスプレイパネルを提供することである。
【００１２】
さらに，本発明の別の目的は，焼成による隔壁の形象変化を抑制して隔壁の曲がり現象を防止することで騷音発生を抑制することの可能な，新規かつ改良されたプラズマディスプレイパネルを提供することである。
【００１３】
さらに，本発明の別の目的は，焼成による隔壁の形象変化を抑制して隔壁の高さ均一性を向上させ，隔壁と前面基板との間に隙間が生じないようにすることで騷音発生を抑制することの可能な，新規かつ改良されたプラズマディスプレイパネルを提供することである。
【課題を解決するための手段】
【００１４】
上記課題を解決するため，本発明の第１の観点によれば，プラズマディスプレイパネルは，対向配置される前面基板および背面基板と，前記前面基板と前記背面基板との間の空間で互いに離隔して交差する方向に配列されるアドレス電極および表示電極と，前記前面基板と前記背面基板との間の空間で複数の放電セルを区画して表示領域を形成し，前記表示領域の周りに非表示領域を形成する隔壁と，を含み，前記非表示領域は，前記表示領域との間に空間を置いて離隔配置されるダミー隔壁でダミーセルを区画するダミー区域を含むことができる。また，前記ダミー区域は，前記表示領域の一側端と平行な帯状に形成される横隔壁帯と，前記横隔壁帯の両端に外側弧状部で取り囲まれた扇状部とを含むことができる。また，互いに対向して配置される前面基板および背面基板と，前記前面基板と前記背面基板との間の空間に，互いに離隔して交差する方向に配置されるアドレス電極および表示電極と，前記前面基板と前記背面基板との間の空間に，複数の放電セルを区画し，表示領域と前記表示領域の周りの非表示領域とを形成するように配置される隔壁とを含み，前記非表示領域は，前記表示領域と離隔して配置されるダミー隔壁でダミーセルを区画するダミー区域を含み，前記ダミー区域は，前記表示領域の一側端と平行な帯状に形成される横隔壁帯と，前記横隔壁帯の両端の延長方向に外側弧状部で取り囲まれた扇状部とを含むことができるプラズマディスプレイパネルが提供される。
【００１５】
前記ダミー区域は，前記アドレス電極の伸張方向に前記表示領域の両側に設けられることができる。
【００１６】
前記横隔壁帯は，最外側横隔壁部材と最内側横隔壁部材との間に少なくとも１つ以上の横隔壁部材を含み，前記最外側横隔壁部材とこれに隣合う横隔壁部材との間の距離，および前記最内側横隔壁部材とこれに隣合う横隔壁部材との間の距離は，前記最外側横隔壁部材と前記最内側横隔壁部材との間にある一対の横隔壁部材間の距離より小さくすることにで，隔壁焼成の時，引力に効果的に対応することができる。
【００１７】
前記最外側横隔壁部材は，ほかの横隔壁部材より大きい線幅に形成されることにより，サンドサンドブルラスト法で隔壁層を蝕刻する時，隔壁の破損を効果的に防止することができる。
【００１８】
前記扇状部は，前記最外側横隔壁部材の先端と前記最内側横隔壁部材の先端を結ぶ直線の中心から前記外側弧状部の方向に形成される直線状の斜線隔壁部材を含むことができる。この際，前記斜線隔壁部材は，前記扇状部の中心角を４等分することもできる。前記最外側横隔壁部材の先端と前記最内側横隔壁部材の先端を結ぶ直線は，前記横隔壁帯および前記扇状部に共有されることもできる。
【００１９】
前記外側弧状部は，その延長方向に，前記横隔壁帯の最外側横隔壁部材に連結され，前記横隔壁帯の最外側横隔壁部材は直線状に形成され，前記外側弧状部は，その延長方向に，前記横隔壁帯の最内側横隔壁部材に連結され，前記横隔壁帯の最内側横隔壁部材は直線状に形成されることもできる。また，前記外側弧状部の両端は，その延長方向で，前記横隔壁帯の最外側横隔壁部材と最内側横隔壁部材にそれぞれ連結され，直線状に形成されることができる。このように，最外側横隔壁部材および最内側横隔壁部材がそれぞれ直線状に形成されることにより，隔壁端部が最大限浮き上がらない支持台の役目ができることになる。
【００２０】
前記外側弧状部は，横隔壁帯の最内側横隔壁部材から最外側横隔壁部材に行くほどに次第に大きくなる線幅を有することにより，前記外側弧状部は，ほかの弧状隔壁部材および第１斜線隔壁部材と第１リブ隔壁部材に比べて大きい線幅に形成されるので，サンドブラスト法で隔壁層を蝕刻する時，隔壁の破損を効果的に防止することができる。
【００２１】
前記扇状部は，前記横隔壁帯上の一点からほかの一点まで弧状に連結される弧状隔壁部材を含むことができる。この際，前記扇状部の外側弧状部とこれに隣合う弧状隔壁部材との間の距離より，前記横隔壁帯とこれに隣合う弧状隔壁部材との間の距離が大きく形成されることもできる。
【００２２】
前記扇状部は，前記外側弧状部上と前記弧状隔壁部材の間，または，互いに隣合う弧状隔壁部材の間に形成されるリブ隔壁部材を含むことができる。この際，前記リブ隔壁部材は，前記弧状隔壁部材を均等な間隔で分割することができ，前記弧状隔壁部材の線幅を小さな線幅に形成することにより，パネル内部への隔壁部材間の引力を減らし，引力に耐えるようにして，隔壁端部が立ち上がることを防止することができる。
【００２３】
前記前面基板と前記背面基板を相互封着するフリットの線幅は，余裕領域Ｅの共振空間を減らすために，フリットの内側面と前記ダミー区域の外側面との間隔より大きく形成されることができる。この際，前記フリットの線幅は，前記フリットの内側面と前記ダミー区域の外側面との間隔の２倍〜３倍の大きさに形成されることにより，前面騷音および後面騷音を減少させることができることを実験的に証明できる。
【００２４】
また，本発明の他の観点によれば，プラズマディスプレイパネルは，対向配置される前面基板および背面基板と，前記前面基板と前記背面基板との間の空間で互いに離隔して交差する方向に配列されるアドレス電極および表示電極と，前記前面基板と前記背面基板との間の空間で複数の放電セルを区画して表示領域を形成し，前記表示領域の周りに非表示領域を形成する隔壁と，を含み，前記非表示領域は，前記表示領域との間に空間を置いて離隔配置されるダミー隔壁でダミーセルを区画するダミー区域を含むことができる。また，
プラズマディスプレイパネルは，表示領域に，前記表示領域から離隔して配置される第１ダミー区域と，前記第１ダミー区域から離隔され，前記表示領域内に配置される隔壁から延長されるダミー隔壁でダミーセルを区画する第２ダミー区域とを含むことができる。そして，前記第１ダミー区域は，ダミー区域と同様に形成できる。すなわち，前記第１ダミー区域は，前記表示領域の一側端部と平行な帯状に形成される第１横隔壁帯と，前記第１横隔壁帯の両端に第１外側弧状部で取り囲まれた第１扇状部とを含むことができる。また，前記第２ダミー区域は，前記表示領域の角部外側に配置され，互いに交差する垂直線部および水平線部と，この両線部と交差する第２外側弧状部で取り囲まれた第２扇状部と，前記第２扇状部の垂直線部に接して配置される第２横隔壁帯と，前記第２扇状部の水平線部に接して配置される第２縦隔壁帯とを含むことができる。また，互いに対向して配置される前面基板および背面基板と，前記前面基板と前記背面基板との間の空間に，互いに離隔して交差する方向に配列されるアドレス電極および表示電極と，前記前面基板と前記背面基板との間の空間に，複数の放電セルを区画し，表示領域と前記表示領域の周りに非表示領域とを形成する隔壁と，前記表示領域内に配置される隔壁から延長されるダミー隔壁でダミーセルを区画する第１ダミー区域と，前記第１ダミー区域から離隔して配置されるダミー隔壁でダミーセルを区画する第２ダミー区域と，前記第１ダミー区域内の互いに交差する垂直線部および水平線部と，前記両線部と交差する第１外側弧状部とで取り囲まれた第１扇状部と，前記第１扇状部の垂直線部に接して配置される第１横隔壁帯と，
前記第１扇状部の水平線部に接して配置される第１縦隔壁帯とを含み，前記第１ダミー区域は，前記表示領域の角部外側に配置されることができるプラズマディスプレイパネルが提供される。
【００２５】
前記第１ダミー区域の第１扇状部と前記第２ダミー区域との間の空間には，前記各ダミー区域から離隔して独立的に形成される島型隔壁部材を含み，円形または環形の横断面を有することができる。前記島型隔壁部材は，第１ダミー区域Ｍ１の先端および第２ダミー区域Ｍ２の先端から離隔して配置されることにより，この部分の共振空間を減らし，排気口を介した放電ガス給排気の時，島型隔壁部材の周りに放電ガスの給排気通路を形成して放電ガスの円滑な給排気ができるようにする。また，前記島型隔壁副題５０は，多様な形象に形成できるが，給排気通路の円滑な形成のために，円形または環形の横断面を有することが望ましく，円柱状に形成されるが円筒状に形成されることもできる。
【００２６】
前記第２扇状部は，前記垂直線部と前記水平線部の交差点から前記第１外側弧状部の上に直線状に延長される第２斜線隔壁部材を含むことができる。また，前記第２扇状部は，前記垂直線部上の一点から前記水平線部上の一点まで弧状に連結される弧状隔壁部材を含むことができる。
【００２７】
前記第２扇状部は，前記第２外側弧状部と前記弧状隔壁部材の間，または，互いに隣合う弧状隔壁部材の間に形成される第２リブ隔壁部材を含むことにより，縦隔壁部材と横隔壁部材によって形成される第２ダミーセルにおいて，隣接横隔壁部材間の距離を小さく形成して，隔壁焼成時，最外側縦隔壁部材を含むほかの縦隔壁部材がパネルの中心に曲がって入ろうとする引力に抵抗して，隔壁端部が立ち上がることを一層確かに防止することができる。前記弧状隔壁部材は，その延長方向に，前記第２横隔壁帯の隔壁部材と前記第２縦隔壁帯の隔壁部材に連結されることができる。
【００２８】
前記第２扇状部の垂直線部および水平線部はそれぞれ前記第２横隔壁帯および前記第２縦隔壁帯と共有されることができる。
【００２９】
前記第１横隔壁帯は，最外側横隔壁部材と最内側横隔壁部材との間に少なくとも１つ以上の横隔壁部材を含み，前記最外側横隔壁部材とこれに隣合う横隔壁部材との間の距離が前記最内側横隔壁部材とこれに隣合う横隔壁部材との間の距離より小さいことができる。
【００３０】
前記第２縦隔壁帯は，最外側縦隔壁部材と最内側縦隔壁部材との間に少なくとも１つ以上の縦隔壁部材を含み，前記最外側縦隔壁部材とこれに隣合う縦隔壁部材との間の距離が一番大きく，前記最内側縦隔壁部材とこれに隣合う縦隔壁部材との間の距離が一番小さいことができる。
【００３１】
前記第２外側弧状部は，その延長方向に，前記第２横隔壁帯の最外側横隔壁部材に連結されることができ，前記第２外側弧状部は，その延長方向に，前記第２縦隔壁帯の最外側縦隔壁部材に連結されることができる。
【００３２】
また，上記課題を解決するために，本発明のある観点によるプラズマディスプレイパネルは，非表示領域に，前記第２ダミー区域から前記表示電極の伸張方向に延長されるダミー隔壁でダミーセルを区画する第３ダミー区域とを含むことができる。このように，ダミー区域Ｍ３は，非表示領域に形成される共振空間を減らすことになるので，この共振空間で発生する騷音を低減させることができる。
【００３３】
前記第３ダミー区域は，前記表示電極の伸張方向に第２ダミー区域の両側に設けられ，角部に配置され，互いに交差する垂直線部および水平線部と，この両線部と交差する第３外側弧状部とで取り囲まれた第３扇状部と，前記第３扇状部の水平線部に接して配置される第３縦隔壁帯とを含むことができる。
【００３４】
前記第３ダミー区域は，前記第３扇状部の垂直線部，およびこれに連結される第３縦隔壁帯に接し，前記第２ダミー区域に連結される第４横隔壁帯をさらに含むことができる。
【００３５】
前記第３扇状部は，前記垂直線部と水平線部の交差点から前記第３外側弧状部の方向に形成される直線状の第３斜線隔壁部材を含み，前記垂直線部上の一点から前記水平線部上の一点まで弧状に連結される弧状隔壁部材を含むことができる。また，前記第３扇状部は，前記第３外側弧状部と前記弧状隔壁部材の間，または，互いに隣合う弧状隔壁部材の間に形成される１リブ隔壁部材を含むことができる。
【００３６】
前記第３外側弧状部は，その延長方向に，前記第４縦隔壁帯の最外側横隔壁部材に連結され，前記第４縦隔壁帯の最外側横隔壁部材は直線状に形成されることができる。また，前記第３外側弧状部は，その延長方向に，前記第３縦隔壁帯の最外側縦隔壁部材に連結され，前記第３縦隔壁帯の最外側縦隔壁部材は直線状に形成されることができる。
【発明の効果】
【００３７】
本発明によれば，プラズマディスプレイパネルの第１ダミー区域を表示領域から離隔して非表示領域に配置し，前面基板と背面基板を封着するフリットの線幅を増大させて，フリットとダミー隔壁との間に形成される共振空間を減らすことにより，この共振空間での騷音発生を抑制するとともに，放電ガスの円滑な給排気ができるようにする効果がある。放電ガスの円滑な給排気は輝度減衰を防止する効果がある。
【００３８】
また，非表示領域に形成される第１，第２，第３ダミー区域のそれぞれに第１，第２，第３扇状部を備え，これらのそれぞれに隣合う第１横隔壁帯，第２横隔壁帯／第２縦隔壁帯，および第３縦隔壁帯を配置することにより，焼成後に隔壁ペーストが収縮する時，引力によるダミー隔壁の曲がりおよびダミー隔壁の外側端部の浮き上がることを防止することができる効果がある。
【００３９】
このように，引力によるダミー隔壁の曲がりおよび隔壁端部の浮き上がることを防止することにより，隔壁と前面基板との間に隙間が生じないようにして，騷音発生を抑制することができる効果がある。
【発明を実施するための最良の形態】
【００４０】
以下に添付図面を参照しながら，本発明にかかるプラズマディスプレイパネルの好適な実施形態について詳細に説明する。なお，本明細書および図面において，実質的に同一の機能構成を有する構成要素については，同一の符号を付することにより重複説明を省略する。
【００４１】
（第１実施形態）
図１は，本発明の第１実施形態によるプラズマディスプレイパネルの平面図であり，図２は，図１の“Ａ”部分を拡大した平面図である。
【００４２】
図に示すように，本実施形態によるプラズマディスプレイパネルは，間に空間を置いて対向して配置される前面基板１０と背面基板１５が封着された構造からなり，可視光を放出して実際画像を表示する表示領域Ｄとこの表示領域Ｄの周りに沿って配置される非表示領域とに区分される。
【００４３】
表示領域Ｄは，前面基板１０と背面基板１５との間の空間に配置される隔壁が複数の放電セルを区画することにより形成される。非表示領域は，表示領域Ｄから離隔配置される第１ダミー隔壁で第１ダミーセルを区画する第１ダミー区域Ｍ１と，この第１ダミー区域Ｍ１と離隔配置され，前記表示領域Ｄ内に配置される隔壁から延長される第２ダミー隔壁で第２ダミーセルを区画する第２ダミー区域Ｍ２と，これら第１ダミー区域Ｍ１と第２２ダミー区域Ｍ２の外側で前記前面基板１０と背面基板１５を封着するフリット１２ラインまで空間を形成する余裕区域Ｅとに区分される。
【００４４】
第１ダミー区域Ｍ１は，表示領域Ｄを取り囲む第２ダミー区域Ｍ２の４辺に対応する４ヶ所に形成されることもでき，図１のように，表示領域Ｄの垂直方向（図１基準）にその両側に形成されることもできる。
【００４５】
第１ダミー区域Ｍ１が前記のように表示領域Ｄの両側に形成される場合，この非表示領域は第１ダミー区域Ｍ１が設けられていない第２ダミー区域Ｍ２側に第３ダミー区域Ｍ３をさらに含むこともできる。この第３ダミー区域Ｍ３は第２ダミー区域Ｍ２から水平方向（図１基準）にその両側で延長される第３ダミー隔壁で第３ダミーセルを区画する。
【００４６】
このように，表示領域Ｄの外側に設けられる第１ダミー区域Ｍ１，第２ダミー区域Ｍ２，および第３ダミー区域Ｍ３は，非表示領域に形成される共振空間を減らすことになるので，この共振空間で発生する騷音を低減させることができる。また，第１ダミー区域Ｍ１を表示領域Ｄと第２ダミー区域Ｍ２および第３ダミー区域Ｍ３から離隔して備えて，各ダミー区域の間に放電ガスの給排気通路を形成するので，さらに形成されるダミー区域による放電ガスの給排気抵抗を最小化して，排気口Ｈを介した放電ガスの円滑な給排気ができる。
【００４７】
第１ダミー区域Ｍ１は，前記表示領域Ｄから離隔して配置されこの表示領域Ｄと平行な帯状に形成される第１横隔壁帯２０１と，この第１横隔壁帯２０１の両端に第１外側弧状部３０５１で取り囲まれた第１扇状部３０１とを含む。
【００４８】
第１横隔壁帯２０１は，前記表示領域Ｄの一側辺部に平行な方向に形成される横隔壁部材と，このような横隔壁部材と交差する方向に形成される縦隔壁部材とを備え，複数の第１ダミーセルを形成する。このような第１横隔壁帯２０１の最外側横隔壁部材２０１と最内側横隔壁部材２０３との間には，少なくとも１つ以上の横隔壁部材が形成されることができるが，本実施形態においては，四つの横隔壁部材が形成されている。
【００４９】
この際，最外側横隔壁部材２０１とこれに隣合う横隔壁部材２１１との間の距離Ｌ２０ｏ１，および最内側横隔壁部材２０３とこれに隣合う横隔壁部材２１１との間の距離Ｌ２０ｉ１が，前記最外側横隔壁部材２０１と最内側横隔壁部材２０３との間にある横隔壁部材２１１間の距離Ｌ２０ｔ１より小さく形成される。本実施形態においては，前記距離Ｌ２０ｏ１と距離Ｌ２０ｉ１は同じ大きさに形成され，前記距離Ｌ２０ｔ１の１／２大きさに形成されている。
【００５０】
一方，第１横隔壁帯２０１の内側に配置される隔壁部材は，４方向に互いに一定の力が作用して，曲がりが発生しないが，前記最外側横隔壁部材２０１のような端部は力の均衡が破れやすい。これにより，最外側横隔壁部材２０１の底面が誘電層から分離する現象が発生することになる浮き上がり現象が起きる。これを防止するために，最外側横隔壁部材２０１は，縦隔壁部材により隣接横隔壁部材２０１と小さい距離Ｌ２０ｏ１を維持して，隔壁焼成の時，引力に効果的に対応することができる。また，最外側横隔壁部材２０１はほかの横隔壁部材２１１に比べて大きい線幅に形成されるので，サンドサンドブルラスト法で隔壁層を蝕刻する時，隔壁の破損を効果的に防止することができる。ここで，隔壁部材の線幅は隔壁部材の長さ方向に対する上端部の幅と定義することができ，以下でも同じである。
【００５１】
第１扇状部３０１は，最外側横隔壁部材２０１の先端と最内側横隔壁部材２０３の先端を結ぶ直線３０１の中心Ｃ１から第１外側弧状部３０５１で取り囲まれて半円領域を成すことになる。第１横隔壁帯２０１はこの直線３０１に接して配置される。本実施形態において，前記第１扇状部３０１の第１外側弧状部３０５１は，その内側面が前記直線３０１の中心Ｃ１から同一距離を維持するように形成できる。
【００５２】
第１ダミー区域Ｍ１の第１扇状部３０１には，前記直線３０１の中心Ｃ１から第１外側弧状部３０５１の方向に直線状の第１斜線隔壁部材３１１１が形成される。このような第１斜線隔壁部材３１１１は，第１扇状部３０１の中心角を４等分するように三つに形成できる。したがって，本実施形態のように，前記第１扇状部３０１が半円形に形成される場合，前記三つの第１斜線隔壁部材３１１１は，第１扇状部３０１との角を４５°となるようにする。
【００５３】
第１ダミー区域Ｍ１の第１扇状部３０１には，第１横隔壁帯２０１上の一点からほかの一点まで弧状に連結される弧状隔壁部材３２１，３２２が形成される。本実施形態においては，第１外側弧状部３０５１と中心Ｃ１との間に２つの弧状隔壁部材３２１，３２２が配設されている。
【００５４】
この際，第１外側弧状部３０５１とこれに隣合う弧状隔壁部材３２１との間の距離Ｌ３０ｏ１，または弧状隔壁部材３２１，３２２間の距離Ｌ３０ｔ１，または弧状隔壁部材３２２と中心Ｃ１との間の距離Ｌ３０ｉ１は互いに違うように形成できが，本実施形態においては，第１外側弧状部３０５１とこれに隣合う弧状隔壁部材３２１との間の距離Ｌ３０ｏ１および隣接弧状隔壁部材３２１，３２２の間の距離Ｌ３０ｔ１より，前記中心Ｃ１とこれに隣合う弧状隔壁部材３２２との間の距離Ｌ３０ｉ１がより大きく形成されている。このような弧状隔壁部材３２１，３２２はその延長方向に第１横隔壁帯２０１の隔壁部材に連結される。前記距離Ｌ３０ｏ１と距離Ｌ３０ｔ１は同一の大きさに形成できる。
【００５５】
また，第１ダミー区域Ｍ１の第１扇状部３０１内には，前記第１外側弧状部３０５１から弧状隔壁部材３２１，３２２の方向に第１リブ隔壁部材３３１１が形成される。この際，第１リブ隔壁部材３３１１は第１弧状隔壁部材３２１，３２２の線幅より小さな線幅に形成される。
【００５６】
この第１リブ隔壁部材３３１１は，弧状隔壁部材３２１，３２２を均等な間隔で分割するように形成できる。そして，第１外側弧状部３０５１とこれに隣合う弧状隔壁部材３２１との間に配置される第１リブ隔壁部材３３１１の数が，前記互いに隣合う弧状隔壁部材３２１，３２２間に配置される第１リブ隔壁部材３３１１の数より多いこともあり得る。
【００５７】
一方，第１ダミー区域Ｍ１において，最外側横隔壁部材２０１の先端と最内側横隔壁部材２０３の先端を結ぶ直線３０１は第１横隔壁帯２０１および第１扇状部３０１に共有される。すなわち，直線３０１を境界として前記第１扇状部３０１は第１横隔壁帯２０１と区分される。
【００５８】
第１外側弧状部３０５１は，その延長方向に第１横隔壁帯２０１の最外側横隔壁部材２０１に連結され，この第１横隔壁帯２０１の最外側横隔壁部材２０１は直線状に形成される。また，第１外側弧状部３０５１は，その延長方向に前記第１横隔壁帯２０１の最内側横隔壁部材２０３に連結され，この第１横隔壁帯２０１の最内側横隔壁部材２０３は直線状に形成される。このように，最外側横隔壁部材２０１および最内側横隔壁部材２０３はそれぞれ直線状に形成されることにより，隔壁端部が最大限浮き上がらない支持台の役目ができることになる。
【００５９】
このように連結される第１外側弧状部３０５１は第１横隔壁帯２０１の最内側横隔壁部材２０３から最外側横隔壁部材２０１に行くほどに次第に大きくなる線幅を有する。この第１外側弧状部３０５１の最外側横隔壁部材２０１側の先端はこの最外側横隔壁部材２０１の線幅と同一線幅に形成され，第１外側弧状部３０５１の最内側横隔壁部材２０３側の先端は最内側横隔壁部材２０３の線幅と同一線幅に形成される。
【００６０】
これにより，第１外側弧状部３０５１は，ほかの弧状隔壁部材３２１，３２２および第１斜線隔壁部材３１１１と第１リブ隔壁部材３３１１に比べて大きい線幅に形成されるので，サンドブラスト法で隔壁層を蝕刻する時，隔壁の破損を効果的に防止することができる。また，弧状隔壁部材３２１，３２２および第１斜線隔壁部材３１１１と第１リブ隔壁部材３３１１は相対的に小さな線幅に形成される。
【００６１】
第１横隔壁帯２０１の内側に配置される隔壁部材は４方向に互いに一定の力が作用して，曲がりが発生しないが，第１扇状部３０１の内側に配置される弧状隔壁部材３２１，３２２および第１斜線隔壁部材３１１１と第１リブ隔壁部材３３１１は第１横隔壁帯２０１の端部に設けられるので，力の均衡が破れやすい。これにより，隔壁端部の底面が誘電層から分離される現象が発生すると，浮き上がり現象が起きる。これを防止するために，前記のように，弧状隔壁部材３２１，３２２および第１斜線隔壁部材３１１１と第１リブ隔壁部材３３１１の線幅を小さくして，パネル内部への隔壁部材間の引力を減らし，引力に耐えるようにして，隔壁端部が立ち上がることを防止することができる。
【００６２】
（第２実施形態）
図３は，図１の“Ｂ”部分を拡大した平面図である。
【００６３】
図３に示すように，第２ダミー区域Ｍ２は，前記表示領域Ｄの角部外側に配置される第２扇状部３０２とこの第２扇状部３０２に接するように配置される第２横隔壁帯２０２および第２縦隔壁帯４０２を含む。また，表示領域Ｄと第２横隔壁帯２０２との間には，バッファー隔壁帯１９が形成される。このようなバッファー隔壁帯１９は表示領域Ｄと第２縦隔壁帯４０２間に形成されることもできる（図示せず）。
【００６４】
第２扇状部３０２は，互いに交差する垂直線部３０２および水平線部３０３と，これら両線部３０２，３０３と交差する第２外側弧状部３０５２とで取り囲まれて扇形領域を成すことになる。第２横隔壁帯２０２は垂直線部３０２に接して配置され，第２縦隔壁帯４０２は水平線部３０３に接して配置される。
【００６５】
本実施形態において，第２扇状部３０２の第２外側弧状部３０５２は，垂直線部３０２と水平線部３０３が交差する第２交差点Ｃ２から同一距離を維持するように形成できる。この際，前記垂直線部３０２と水平線部３０３が直交する場合には，前記第２扇状部３０２は４分円の形象を有することになる。
【００６６】
第２ダミー区域Ｍ２の第２扇状部３０２には，垂直線部３０２と水平線部３０３の第２交差点Ｃ２から第２外側弧状部３０５２の方向に直線状の第２斜線隔壁部材３１１２が形成される。この第２斜線隔壁部材３１１２は，垂直線部３０２と水平線部３０３が成す角を２等分するように形成される。したがって，本実施形態のように，前記垂直線部３０２と水平線部３０３が直交する場合，前記第２斜線隔壁部材３１１２が前記垂直線部３０２または水平線部３０３と成す角は４５°となる。
【００６７】
第２ダミー区域Ｍ２の第２扇状部３０２には，垂直線部３０２上の一点から水平線部３０３上の一点まで弧状に連結される弧状隔壁部材３２３，３２４，３２５が形成される。本実施形態においては，第２外側弧状部３０５２と第２交差点Ｃ２との間に三つの弧状隔壁部材３２３，３２４，３２５が配置されている。この際，前記第２外側弧状部３０５２とこれに隣合う弧状隔壁部材３２３との間の距離Ｌ３０ｏ２，または弧状隔壁部材３２３，３２４，３２５間の距離Ｌ３０ｔ２，または弧状隔壁部材３２５と第２交差点Ｃ２との間の距離Ｌ３０ｉ２は互いに違うように形成できるが，本実施形態においては，第２外側弧状部３０５２とこれに隣合う弧状隔壁部材３２３との間の距離Ｌ３０ｏ２より，前記第２交差点Ｃ２とこれに隣合う弧状隔壁部材３２５との間の距離Ｌ３０ｉ２が大きく形成される。このような弧状隔壁部材３２３，３２４，３２５は，その延長方向に第２横隔壁帯２０２の隔壁部材と第２縦隔壁帯４０２の隔壁部材に連結される。
【００６８】
また，第２ダミー区域Ｍ２の第２扇状部３０２内には，前記第２外側弧状部３０５２から弧状隔壁部材３２３，３２４，３２５の上に直線状に延長される第２リブ隔壁部材３３１２，３３２２が形成される。この際，第２リブ隔壁部材３３１２，３３２２は弧状隔壁部材３２３，３２４，３２５の線幅より小さな線幅に形成される。
【００６９】
前記第２リブ隔壁部材３３１２，３３２２は，弧状隔壁部材３２３，３２４，３２５を均等な間隔で分割するように形成できる。そして，第２外側弧状部３０５２とこれに隣合う弧状隔壁部材３２３との間に配置される第２リブ隔壁部材３３１２，３３２２の数が，互いに隣合う弧状隔壁部材３２３，３２４，３２５間に配置されるリブ隔壁部材３３１２の数より多いこともあり得る。
【００７０】
一方，第２ダミー区域Ｍ２の第２扇状部３０２の垂直線部３０２および水平線部３０３は，それぞれ前記第２横隔壁帯２０２および第２縦隔壁帯４０２と共有される。すなわち，垂直線部３０２を境界として前記第２扇状部３０２は第２横隔壁帯２０２と区分され，水平線部３０３を境界として前記第２扇状部３０２は第２縦隔壁帯４０２と区分される。
【００７１】
第２横隔壁帯２０２は，前記表示領域Ｄの一側端と平行な方向に形成される横隔壁部材と，この横隔壁部材と交差する方向に形成される縦隔壁部材とを備え，複数の第２ダミーセルを形成する。このような第２横隔壁帯２０２の最外側横隔壁部材２０４と最内側横隔壁部材２０５との間には少なくとも一つ以上の横隔壁部材が形成されることができるが，本実施形態においては，２つの横隔壁部材が形成される。この際，最外側横隔壁部材２０４とこれに隣合う横隔壁部材２１２との間の距離Ｌ２０ｏ２が，前記最内側横隔壁部材２０５とこれに隣合う横隔壁部材２１２との間の距離Ｌ２０ｉ２より小さく形成される。また，本実施形態において，前記距離Ｌ２０ｉ２は，最外側横隔壁部材２０４と最内側横隔壁部材２０５との間に設けられる横隔壁部材間の距離Ｌ２０ｔ２と同一大きさに形成されている。
【００７２】
第２縦隔壁帯４０２は，前記表示領域Ｄの一側端と平行な方向に形成される横隔壁部材と，この横隔壁部材と交差する方向に形成される縦隔壁部材とを備え，複数の第２ダミーセルを形成する。このような第２縦隔壁帯４０２の最外側縦隔壁部材４０１と最内側縦隔壁部材４０３との間には少なくとも一つ以上の縦隔壁部材が形成されることができるが，本実施形態においては，三つの縦隔壁部材が形成される。この際，最外側縦隔壁部材４０１とこれに隣合う縦隔壁部材４１１との間の距離Ｌ４０ｏ２が一番大きく，前記最内側縦隔壁部材４０３とこれに隣合う縦隔壁部材４１１との間の距離Ｌ４０ｉ２が一番小さく形成される。そして，第２縦隔壁帯４０２の最外側縦隔壁部材４０１はこれに隣合う縦隔壁部材４１１よりその線幅が大きく形成される。
【００７３】
また，最外側縦隔壁部材４０１と交差する方向に連結される横隔壁部材４２１は，前記最外側縦隔壁部材４０１よりその線幅が小さく形成される。前記縦隔壁部材４１１のように，第２縦隔壁帯４０２の内側に配置される隔壁部材は４方向に互いに一定の力が作用して，曲がることが発生しないが，前記最外側縦隔壁部材４０１のような端部は力の均衡が破れやすい。これにより，隔壁端部の底面が誘電層から分離される現象が発生すると，浮き上がり現象が起きる。これを防止するために，第２縦隔壁帯４０２において，最外側縦隔壁部材４０１と交差する方向に連結される横隔壁部材４２１は第２縦隔壁帯４０２での線幅が表示領域Ｄ内での線幅より小さく形成されて，パネル内部への隔壁部材間の引力を減らし，前記最外側縦隔壁部材４０１が引力に耐えるようにして，隔壁端部が立ち上がることを防止することができる。
【００７４】
また，第２縦隔壁帯４０２は，最外側縦隔壁部材４０１上から前記縦隔壁部材４１１及び最内側縦隔壁部材４０３の上に直線状に延長される第２ａリブ隔壁部材４３１２を含む。この第２ａリブ隔壁部材４３１２の線幅は，表示領域Ｄでの横隔壁部材の線幅より小さく形成される。この第２ａリブ隔壁部材４３１２は，縦隔壁部材と横隔壁部材によって形成される第２ダミーセルにおいて，隣接横隔壁部材間の距離を小さく形成して，隔壁焼成時，最外側縦隔壁部材４０１を含むほかの縦隔壁部材４１１がパネルの中心に曲がって入ろうとする引力に抵抗して，隔壁端部が立ち上がることを一層確かに防止することができる。
【００７５】
前記第２ダミー区域Ｍ２の第２扇状部３０２の第２外側弧状部３０５２は，その一側延長方向に第２横隔壁帯２０２の最外側横隔壁部材２０４に連結される。この際，前記第２横隔壁帯２０２の最外側横隔壁部材２０４は直線状に形成される。
【００７６】
同様に，前記第２ダミー区域Ｍ２の第２扇状部３０２の第２外側弧状部３０５２はその他側延長方向に第２縦隔壁帯４０２の最外側縦隔壁部材４０１に連結される。この際，前記第２縦隔壁帯４０２の最外側縦隔壁部材４０１は直線状に形成される。
【００７７】
このような最外側横隔壁部材２０４および最外側縦隔壁部材４０１はこのように直線状に形成されることにより，隔壁端部が最大限浮き上がらない支持台の役目をすることになる。
【００７８】
（第３実施形態）
図３に示すように，前記第１ダミー区域Ｍ１の一側先端とこれに隣り合う第２ダミー区域Ｍ２の一側先端との間には，島型隔壁部材５０が設けられることができる。このような島型隔壁部材５０は，前記第１ダミー区域Ｍ１の第１扇状部３０１と前記第２ダミー区域Ｍ２の第２扇状部３０２との間の空間に，これらダミー区域Ｍ１，Ｍ２から離隔して独立的に形成される。前記島型隔壁部材５０は第１ダミー区域Ｍ１の先端および第２ダミー区域Ｍ２の先端から離隔して配置されることにより，この部分の共振空間を減らし，排気口Ｈを介した放電ガス給排気の時，島型隔壁部材５０の周に放電ガスの給排気通路を形成して放電ガスの円滑な給排気ができるようにする。前記島型隔壁副題５０は多様な形象に形成できるが，給排気通路の円滑な形成のために，円形または環形の横断面を有することが望ましく，円柱状に形成されるが円筒状に形成されることもできる。
【００７９】
また，前面基板１０と背面基板１５を相互封着するフリット１２は余裕領域Ｅの共振空間を減らすために，図１に示すように，この線幅をフリット１２の内側面と前記第１ダミー区域Ｍ１の外側面との間の間隔より大きく形成することができる。このフリット１２の線幅はフリット１２の内側面と前記第１ダミー区域Ｍ１の外側面との間の間隔の２〜３倍の大きさに形成できる。
【００８０】
一般的に，前記間隔が６ｍｍでフリット１２の線幅が４ｍｍ〜５ｍｍであるに対し，本実施形態は，第１ダミー区域Ｍ１を有するので，前記間隔が１ｍｍ〜２ｍｍでフリット１２の線幅が５ｍｍ〜７ｍｍであり，この場合，前面騷音および後面騷音を減少させることができることが実験的に証明できる。
【００８１】
（第４実施形態）
図４は，図１の“Ｃ”部分を拡大した平面図である。
【００８２】
図４に示すように，第３ダミー区域Ｍ３は，横隔壁部材の伸張方向に第２ダミー区域Ｍ２の両側に設けられる。この第３ダミー区域Ｍ３は第３扇状部３０３と第３縦隔壁帯４０３を含む。
【００８３】
第３扇状部３０３は，第３ダミー区域Ｍ３の角部に配置され，互いに交差する垂直線部３０４および水平線部３０５と，これら両線部３０４，３０５と交差する第３外側弧状部３０５３とで取り囲まれて扇形領域を成すことになる。第３縦隔壁帯４０３は第３扇状部３０３の水平線部３０５に接して配置される。
【００８４】
また，第３ダミー区域Ｍ３は，前記第３扇状部３０３と第３縦隔壁帯４０３とから形成され，第２ダミー区域Ｍ２に連結されることができるが，本実施形態のように，第３ａ縦隔壁帯４０ａ３をさらに含んでこれを介在して第２ダミー区域Ｍ２に連結できる。この第３ａ縦隔壁帯４０ａ３は第３扇状部３０３の垂直線部３０４およびこれに連結される第３縦隔壁帯４０３に接し，前記第２ダミー区域Ｍ２に連結される。
【００８５】
本実施形態において，第３扇状部３０３の第３外側弧状部３０５３は，垂直線部３０４と水平線部３０５が交差して成す第３交差点Ｃ３から同一距離を維持するように形成できる。この際，前記垂直線部３０４と水平線部３０５が直交する場合には，前記第３扇状部３０３は，１／４の円の形状を有することになる。
【００８６】
第３ダミー区域Ｍ３の第３扇状部３０３には，垂直線部３０４と水平線部３０５の第３交差点Ｃ３から第３外側弧状部３０５３の方向に直線状の第３斜線隔壁部材３１１３が形成される。この第３斜線隔壁部材３１１３は，垂直線部３０４と水平線部３０５が成す角を２等分するように形成される。したがって，本実施形態のように，前記垂直線部３０４と水平線部３０５が直交する場合，前記第３斜線隔壁部材３１１３が前記垂直線部３０４または水平線部３０５と成す角は４５°となる。
【００８７】
第３ダミー区域Ｍ３の第３扇状部３０３には，垂直線部３０４上の一点から水平線部３０５上の一点まで弧状に連結される弧状隔壁部材３２６，３２７，３２８，３２９が形成される。本実施形態においては，第３外側弧状部３０５３と第３交差点Ｃ３との間に四つの弧状隔壁部材３２６，３２７，３２８，３２９が配設されている。この際，前記第３外側弧状部３０５３とこれに隣合う弧状隔壁部材３２６との間の距離Ｌ３０ｏ３，または弧状隔壁部材３２６，３２７，３２８，３２９間の距離Ｌ３０ｔ３，または弧状隔壁部材３２９と第３交差点Ｃ３との間の距離Ｌ３０ｉ３は互いに違うように形成できるが，本実施形態においては，第３外側弧状部３０５３とこれに隣合う弧状隔壁部材３２６との間の距離Ｌ３０ｏ３より，前記第３交差点Ｃ３とこれに隣合う弧状隔壁部材３２９との間の距離Ｌ３０ｉ３が大きく形成される。このような弧状隔壁部材３２６，３２７，３２８，３２９の各両端は，第３ａ縦隔壁帯４０ａ３の隔壁部材と第３縦隔壁帯４０３の隔壁部材に連結される。
【００８８】
また，第３ダミー区域Ｍ３の第３扇状部３０３内には，前記第３外側弧状部３０５３から弧状隔壁部材３２６，３２７，３２８，３２９の方向に直線状の第３リブ隔壁部材３３１３，３３２３が形成される。この際，第３リブ隔壁部材３３１３，３３２３は弧状隔壁部材３２６，３２７，３２８，３２９の線幅より小さな線幅に形成される。
【００８９】
前記第３リブ隔壁部材３３１３，３３２３は，弧状隔壁部材３２６，３２７，３２８，３２９を均等な間隔で分割するように形成できる。そして，第３外側弧状部３０５３とこれに隣合う弧状隔壁部材３２６との間に配置される第３リブ隔壁部材３３１３，３３２３の数は，互いに隣合う弧状隔壁部材３２６，３２７，３２８，３２９間に配置されるリブ隔壁部材３３１３の数より多いこともあり得る。
【００９０】
一方，第３ダミー区域Ｍ３の第３扇状部３０３の垂直線部３０４および水平線部３０５はそれぞれ前記第３ａ縦隔壁帯４０ａ３および第３縦隔壁帯４０３と共有される。すなわち，垂直線部３０４を境界として前記第３扇状部３０３は第３ａ縦隔壁帯４０ａ３と区分され，水平線部３０５を境界として前記第３扇状部３０３は第３縦隔壁帯４０３と区分される。
【００９１】
第３縦隔壁帯４０３は，前記表示領域Ｄの横隔壁部材に連結される横隔壁部材と，この横隔壁部材と交差する方向に形成される縦隔壁部材とを備え，複数の第３ダミーセルを形成する。このような第３縦隔壁帯４０３の最外側縦隔壁部材４０４と最内側縦隔壁部材４０６との間には，少なくとも一つ以上の縦隔壁部材が形成されることができるが，本実施形態においては，複数の縦隔壁部材が形成される。
【００９２】
この第３縦隔壁帯４０３は，第３扇状部３０３の水平線部３０５の外側部に連結される外側縦隔壁帯４０１３と，この外側縦隔壁帯４０１３の内側に設けられて常に水平線部３０５の内側部に連結される内側縦隔壁帯４０２３とを含む。
【００９３】
このような外側縦隔壁帯４０１３の最外側縦隔壁部材４０４と最内側縦隔壁部材４０５との間には，少なくとも１つ以上の縦隔壁部材が形成できるが，本実施形態においては，１つの縦隔壁部材４１２が形成される。
【００９４】
この最内側縦隔壁部材４０５は，外側縦隔壁帯４０１３と内側縦隔壁帯４０２３に共有される。また，内側縦隔壁帯４０２３の最外側縦隔壁部材である前記縦隔壁部材４０５と最内側縦隔壁部材４０６との間には，少なくとも１つ以上の縦隔壁部材が形成できるが，本実施形態においては，六つの縦隔壁部材が形成される。この最内側縦隔壁部材４０６は第３縦隔壁帯４０３と第３ａ縦隔壁帯４０ａ３に共有される。
【００９５】
この際，第３縦隔壁帯４０３の外側縦隔壁帯４０１３と隣接している縦隔壁部材４１２との間の距離Ｌ４０１３は，内側縦隔壁帯４０２３と隣接している縦隔壁部材４１３との間の距離Ｌ４０２３より大きく形成される。そして，第３縦隔壁帯４０３の外側縦隔壁帯４０１３の縦隔壁部材４１２の線幅は，前記内側縦隔壁帯４０２３の縦隔壁部材４１３の線幅より小さく形成される。また，最外側縦隔壁部材４０４の線幅は，これに隣合う縦隔壁部材４１２の線幅より大きく形成される。
【００９６】
また，第３ａ縦隔壁帯４０ａ３は，第３縦隔壁帯４０３の最内側縦隔壁部材４０６を共有し，前記最内側縦隔壁部材４０６と第２ダミー区域Ｍ２の最外側縦隔壁部材４０１（図３参照）との間に，少なくとも１つ以上の縦隔壁部材４１４を具備する。
【００９７】
また，最外側縦隔壁部材４０４と交差する方向に連結される横隔壁部材４２２は，前記最外側縦隔壁部材４０４よりその線幅が小さく形成される。
【００９８】
前記縦隔壁部材４１３のように，第３縦隔壁帯４０３の内側に配置される隔壁部材は，４方向に互いに一定の力が作用して，曲がることが発生しないが，最外側縦隔壁部材４０４のような端部は力の均衡が破れやすい。これにより，隔壁端部の底面が誘電層から分離される現象が発生すると，浮き上がり現象が起きる。これを防止するために，第３縦隔壁帯４０３において，最外側縦隔壁部材４０４と交差する方向に連結される横隔壁部材４２２は，第３縦隔壁帯４０３の外側縦隔壁帯４０１３での線幅より，内側縦隔壁帯４０２３内での線幅がより小さく形成される。これにより，パネル内部への隔壁部材間の引力を減らし，前記最外側縦隔壁部材４０４が引力に耐えるようにして，隔壁端部が立ち上がることを防止することができる。
【００９９】
また，第３縦隔壁帯４０３の外側縦隔壁帯４０１３は，最外側縦隔壁部材４０４の方向に形成される直線状の縦隔壁部材４１２と最内側縦隔壁部材４１３の方向に形成される直線状の第３ａリブ隔壁部材４３１３とを含む。この第３ａリブ隔壁部材４３１３の線幅は，内側縦隔壁帯４０２３での横隔壁部材の線幅より小さく形成される。この第３ａリブ隔壁部材４３１３は，隔壁の焼成時，最外側縦隔壁部材４０４を含むほかの縦隔壁部材がパネルの中心に曲がって入ろうとする引力に抵抗して，隔壁端部が立ち上がることをもう一層防止することができる。
【０１００】
前記第３ダミー区域Ｍ３の第３扇状部３０３の第３外側弧状部３０５３は，その一側延長方向に第３ａ縦隔壁帯４０ａ３の最外側横隔壁部材２０６に連結される。この際，前記第３ａ縦隔壁帯４０ａ３の最外側横隔壁部材２０６は直線状に形成される。
【０１０１】
同様に，前記第３ダミー区域Ｍ３の第３扇状部３０３の第３外側弧状部３０５３は，その他側延長方向に第３縦隔壁帯４０３の最外側縦隔壁部材４０４に連結される。この際，前記第３縦隔壁帯４０３の最外側縦隔壁部材４０４は直線状に形成される。
【０１０２】
このような最外側横隔壁部材２０６および最外側縦隔壁部材４０４はこのように直線状に形成されることにより，隔壁端部が最大限浮き上がらない支持台の役目をすることになる。
【０１０３】
（第５実施形態）
図５は，図３のＶ−Ｖ線における断面図である。
【０１０４】
図５に示すように，本実施形態によるプラズマディスプレイパネルは，前面基板１０と背面基板１５が，所定の間隔を置いて互いに対向して配置され，両基板１０，１５間の空間には，放電セル７０が設けられて，各放電セル別に独立的な放電メカニズムによる可視光の放で所定の映像を具現する。
【０１０５】
背面基板１５には，一方向にアドレス電極７７が形成され，アドレス電極７７を覆うように背面基板１５の全面に誘電層７５が形成される。前記誘電層７５上には，隔壁が所定のパターンで放電セル７０とダミーセル８０を形成する。放電セル７０内には，それぞれ赤色，緑色，青色の可視光を発生させる蛍光体層７３が塗布されて画素の役目をすることになる。
【０１０６】
一方，背面基板１５に対向する前面基板１０の一面には，前記アドレス電極７７と交差する方向に表示電極６１，６２（図３参照）が形成される。この表示電極６１，６２は，一対が各放電セル７０との間に放電ギャップを形成しつつ互いに対向するように配置できる。本実施形態において，前記各表示電極６１，６２は，放電ギャップを形成する透明電極６１ａ，６２ａ（図３参照）と，これら透明電極の通電性を確保するように金属電極でなるバス電極６１ｂ，６２ｂ（図３参照）とから構成される。しかし，前記表示電極は金属電極のみで形成でき，その形象も図面に示すものに限定されない。
【０１０７】
このような表示電極６１，６２を覆うように誘電層６８が形成され，その上に，この誘電層を保護し，放電時に２次電子の放出係数を増加させるためのＭｇＯ保護膜６９が形成できる。
【０１０８】
図６は，本実施形態によるプラズマディスプレイパネルの上側と下側に配置される第１ダミー区域を拡大して示すイメージ写真であり，図７Ａおよび図７Ｂはそれぞれ図６に表示した矢印“ａ７”および“ｂ７”の方向に形成される隔壁部材のプロファイルを測定して示すグラフである。
【０１０９】
図７Ａおよび図７Ｂに示すように，第１ダミー区域Ｍ１の第１扇状部３０１において，端部の隔壁が浮き上がらなくその高さが内側部分の隔壁とほぼ同一であることを確認することができる。
【０１１０】
図８は，本実施形態によるプラズマディスプレイパネルの一側角部に配置される第１ダミー区域と第２ダミー区域との間を拡大して示すイメージ写真であり，図９Ａおよび図９Ｂはそれぞれ図８に表示した矢印“ａ８”および“ｂ８”の方向に形成される隔壁部材のプロファイルを測定して示すグラフである。
【０１１１】
図９Ａおよび図９Ｂに示すように，第１ダミー区域Ｍ１の第１横隔壁帯２０１と第２ダミー区域Ｍ２において，端部の隔壁が浮き上がらなく，その高さが内側部分の隔壁とほぼ同一であることを確認することができる。
【０１１２】
図１０は，本実施形態によるプラズマディスプレイパネルの左側と右側に配置される第３ダミー区域を拡大して示すイメージ写真であり，図１１Ａおよび図１１Ｂはそれぞれ図１０に表示した矢印“ａ１０”および“ｂ１０”の方向に形成される隔壁部材のプロファイルを測定して示すグラフである。図１１Ａおよび図１１Ｂに示すように，第３ダミー区域Ｍ３の第３縦隔壁帯４０３の最外側縦隔壁部材４０４がパネルの中心に曲がって入らなく，第３ダミー区域Ｍ３において，端部の隔壁が浮き上がらなく，その高さが内側部分の隔壁とほぼ同一であることを確認することができる。
【０１１３】
以上，添付図面を参照しながら本発明にかかるプラズマディスプレイパネルの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【産業上の利用可能性】
【０１１４】
本発明におけるプラズマディスプレイパネルは，非表示領域に配置されるダミー隔壁の構造を改善し，フリットを広幅で備えて外側端部の浮き上がりを防止し，これによる騷音を減少させ，放電ガスの給排気を円滑にすることが可能である。
【図面の簡単な説明】
【０１１５】
【図１】第１実施形態によるプラズマディスプレイパネルの平面図である。
【図２】図１の“Ａ”部分を拡大した平面図である。
【図３】図１の“Ｂ”部分を拡大した平面図である。
【図４】図１の“Ｃ”部分を拡大した平面図である。
【図５】図３のＶ−Ｖ線における断面図である。
【図６】本実施形態によるプラズマディスプレイパネルの上側と下側に配置される第１ダミー区域を拡大して示すイメージ写真である。
【図７Ａ】図６に表示した矢印“ａ７”の方向に形成される隔壁部材のプロファイルを測定して示すグラフである。
【図７Ｂ】図６に表示した矢印“ｂ７”の方向に形成される隔壁部材のプロファイルを測定して示すグラフである。
【図８】本実施形態によるプラズマディスプレイパネルの一側角部に配置される第１ダミー区域と第２ダミー区域との間を拡大して示すイメージ写真である。
【図９Ａ】図８に表示した矢印“ａ８”の方向に形成される隔壁部材のプロファイルを測定して示すグラフである。
【図９Ｂ】図８に表示した矢印“ｂ８”の方向に形成される隔壁部材のプロファイルを測定して示すグラフである。
【図１０】本実施形態によるプラズマディスプレイパネルの左側と右側に配置される第３ダミー区域を拡大して示すイメージ写真である。
【図１１Ａ】図１０に表示した矢印“ａ１０”の方向に形成される隔壁部材のプロファイルを測定して示すグラフである。
【図１１Ｂ】図１０に表示した矢印“ｂ１０”の方向に形成される隔壁部材のプロファイルを測定して示すグラフである。
【図１２】プラズマディスプレイパネルの左側と右側に配置される隔壁を拡大して示すイメージ写真である。
【図１３】プラズマディスプレイパネルの隔壁が外側端部で浮き上がった形態を拡大して示す写真である。
【符号の説明】
【０１１６】
１０  前面基板
１２  フリット
１５  背面基板
１９  バッファー隔壁帯
１００  前面基板
１１０  隔壁
２０１  第１横隔壁帯
２０２  第２横隔壁帯
２０１  最外側横隔壁部材
２０３  最内側横隔壁部材
２０４  最外側横隔壁部材
２０５  最内側横隔壁部材
２０６  最外側横隔壁部材
２１１  横隔壁部材
２１２  横隔壁部材
３０１  第１扇状部
３０２  第２扇状部
３０３  第３扇状部
３０１  直線
３０２  垂直線部
３０３  水平線部
３０４  垂直線部
３０５  水平線部
３０５１  第１外側弧状部
３０５２  第２外側弧状部
３０５３  第３外側弧状部
３１１１  第１斜線隔壁部材
３１１２  第２斜線隔壁部材
３１１３  第３斜線隔壁部材
３２１  弧状隔壁部材
３２２  弧状隔壁部材
３２３  弧状隔壁部材
３２４  弧状隔壁部材
３２５  弧状隔壁部材
３２６  弧状隔壁部材
３２７  弧状隔壁部材
３２８  弧状隔壁部材
３２９  弧状隔壁部材
３３１１  第１リブ隔壁部材
３３１２  第２リブ隔壁部材
３３２２  第２リブ隔壁部材
３３１３  第３リブ隔壁部材
３３２３  第３リブ隔壁部材
４０２  第２縦隔壁帯
４０３  第３縦隔壁帯
４０ａ３  第３ａ縦隔壁帯
４０１  最外側縦隔壁部材
４０１３  外側縦隔壁帯
４０２３  内側縦隔壁帯
４０３  最内側縦隔壁部材
４０４  最外側縦隔壁部材
４０５  縦隔壁部材
４０６  最内側縦隔壁部材
４１１  縦隔壁部材
４１２  縦隔壁部材
４１３  縦隔壁部材
４１４  縦隔壁部材
４２１  横隔壁部材
４２１２  横隔壁部材
４２２  横隔壁部材
４３１２  第２ａリブ隔壁部材
４３１３  第３ａリブ隔壁部材
５０  島型隔壁部材
６１  表示電極
６２  表示電極
６１ａ  透明電極
６２ａ  透明電極
６１ｂ  バス電極
６２ｂ  バス電極
６８  誘電層
６９  ＭｇＯ保護膜
７０  放電セル
７３  蛍光体層
７５  誘電層
７７  アドレス電極
８０  ダミーセル
Ｃ１  第１交差点
Ｃ２  第２交差点
Ｃ３  第３交差点
Ｄ  表示領域
Ｍ１  第1ダミー区域
Ｍ２  第２ダミー区域
Ｍ３  第３ダミー区域
【図１】
2006294587.tif 000003
【図２】
2006294587.tif 000004
【図３】
2006294587.tif 000005
【図４】
2006294587.tif 000006
【図５】
2006294587.tif 000007
【図６】
2006294587.tif 000008
【図７Ａ】
2006294587.tif 000009
【図７Ｂ】
2006294587.tif 000010
【図８】
2006294587.tif 000011
【図９Ａ】
2006294587.tif 000012
【図９Ｂ】
2006294587.tif 000013
【図１０】
2006294587.tif 000014
【図１１Ａ】
2006294587.tif 000015
【図１１Ｂ】
2006294587.tif 000016
【図１２】
2006294587.tif 000017
【図１３】
2006294587.tif 000018